(57)【要約】      （修正有） 【課題】狭い所から広い所まで、必要に応じて、例えば侵入する小動物等の検知と排除の方向を簡単に増減させることができる多方向検知作動装置及び鳥獣忌避装置を提供する。【解決手段】検知部１での検知に応動して作動する作動手段２を備えた複数の検知作動器本体３、３・・・を積層可能とすると共に、積層される検知作動器本体３、３・・・の検知部１及び作動手段２の相対的向きを変更可能とする。また、好ましくは、庭園照射手段を併設する。【選択図】図１
0003199465.tif 000002
【実用新案登録請求の範囲】
【請求項１】
検知部１での検知に応動して作動する作動手段２を備えた検知作動器本体３を複数個、積層可能とすると共に、積層される検知作動器本体３、３・・・の検知部１及び作動手段２の相対的向きを変更可能とした多方向検知作動装置。
【請求項２】
検知部１が鳥獣検知部であり、作動手段２が鳥獣忌避手段であり、検知作動器本体３が鳥獣忌避器本体であり、積層は上下に積重ねるものである多方向鳥獣忌避装置。
【請求項３】
鳥獣忌避器本体に庭園照射手段４を積層した請求項２に記載の多方向鳥獣忌装置。
【考案の詳細な説明】
【技術分野】
【０００１】
本考案は、多方向検知作動装置及び鳥獣忌避装置に関する。
【背景技術】
【０００２】
鳥獣忌避装置は、従来より種々提案されてきており、通常、単一の鳥獣検知部と、それの検知に応動する鳥獣忌避手段とがセットとなり、鳥獣検知部の感知角度内に侵入した鳥獣の侵入に対して、鳥獣忌避手段が作動して駆逐するようになっている。従って、鳥獣検知部にしても鳥獣忌避手段にしても、例えば６０度から１２０度程度の幅があるとしても、一定の指向性があるため、１か所に１台の設置では、自ずと対応角度に限界があり、広い角度や全方向の鳥獣の侵入に備えたい場合は、何台も設置する必要がある。また、予め、１台に複数の鳥獣検知部及び鳥獣忌避手段を取付けておき、スイッチの切替により必要なものを選択することも考えられる（特許文献１参照）が、切替えても、外から直ちに確認し辛く、またスイッチの切替では、特に年寄では誤動作しやすい上に、コストが高くなる欠点があり、もっと使いやすいものをとの要望が出てきていた。
【０００３】
同じようなことは、鳥獣忌避装置に限らず、例えば、人が近付けばこれを検出してそれを報知する人感報知器や、バーコード、ＩＣカード等を無接触で読み取って例えばガードを開閉したり、情報を伝達したりする装置においても、同様の志向性のある検知部を備えるため、同様の要望がある。
【０００４】
【特許文献１】実用新案登録第３１９６２３２号公報
【考案の開示】
【考案が解決しようとする課題】
【０００５】
本考案は、このような問題点に鑑みてなされたものであって、その目的は、一か所での設置で、必要に応じて、応答角度を簡単に広げることができ、しかも、外からその対応状態が簡単に目視確認でき、誤動作も少ない上に、基本となる機器本体は単一の検知部、作動部を搭載するのみで良いので、コストも抑えられる等、市場の要望に応えられる多方向検知作動装置及び鳥獣忌避装置を提供することである。
【課題を解決するための手段】
【０００６】
前記目的を達成するため、本考案にあって、第１には、一般に指向性があるとされる検知部１での検知に応動して作動する作動手段２を備えた検知作動器本体３を複数個、積層可能とすると共に、積層される検知作動器本体３、３・・・の検知部１及び作動手段２の相対的向きを変更可能としたものであり、第２には、検知部１が鳥獣検知部であり、作動手段２が鳥獣忌避手段であり、検知作動器本体３が鳥獣忌避器本体であり、積層は上下に積重ねるものであり、第３には、鳥獣忌避器本体に庭園照射手段４を積層したものである。
【０００７】
（作用）
請求項１に記載の考案では、例えば人感報知器のような検知作動装器本体３を２台用い、検知部１の向きを１８０度ずらせば、前後或いは左右からの人や鳥獣の接近を感知して報知でき、９０度で２台であれば、直角の２方向をカバーできる。また９０度ずつずらせて４台、或いは１２０度で３台重ねれば、全方向に対応できるものである。
【０００８】
請求項２に記載の考案では、例えば鳥獣忌避器本体を２台用い、鳥獣検知部及び鳥獣忌避手段の向きを１８０度ずらせば、前後或いは左右からの鳥獣の侵入に対処でき、９０度で２台であれば、直角の２方向をカバーできる。また９０度ずつずらせて４台、或いは１２０度で３台重ねれば、全方向に対応できるものである。勿論、４方向より多くても良いし、多段ではなく、連続的に方向を調節できるものであっても構わない。
【０００９】
請求項３に記載の考案では、鳥獣忌避手段２と庭園照射手段４を有するので、通常は庭園灯の機能を有し、鳥獣の侵入時は、それらを撃退できることになる。
【考案の効果】
【００１０】
請求項１に記載の考案によれば、重ねる検知作動器本体３の台数とその検知部１の向きに応じて、必要な広い角度に対応した人や鳥獣等の接近の報知を行えるものであり、しかも、その重ね方を見ることにより、どの方向からの人や鳥獣の接近に対処しているかを、一目瞭然に確認できるので、年寄でも間違うことなく、目的とする方向の設定ができるものである。
【００１１】
請求項２に記載の考案によれば、重ねる鳥獣忌避器本体３の台数とその鳥獣検知部１の向きに応じて、必要な広い角度に対応した鳥獣忌避を行えるものであり、しかも、その重ね方を見ることにより、どの方向からの鳥獣の侵入に対して撃退しようとしているかを、一目瞭然に確認できるので、年寄でも間違うことなく、目的とする方向の鳥獣の侵入に対処できるものである。
【００１２】
また、鳥獣忌避器本体２に庭園照射手段４を重ねると、通常の庭園灯に、簡単な多方向性の鳥獣忌避機能を併設できるものである。
【考案を実施するための最良の形態】
【００１３】
以下、本考案を具体化した実施形態について添付図により詳述する。図１は鳥獣忌避装置の例を示すもので、鳥獣忌避器本体３を２台、上下に重ねる場合の例を示すもので、鳥獣忌避器本体３は鳥獣検知部１と鳥獣忌避手段２を具備する。鳥獣検知部１は、特に限定するものではないが、一例を示すと、赤外線照射によるいわゆる人感センサーのような検知手段があり、鳥獣忌避手段２は、光、音、低周波、高周波等種々のものの単独又は組合せができ、これらは公知の制御手段、電子回路を組み合わせたもので、図示例では電池ケース８に収容された電池又は充電池を電源とするもので、スイッチ９でオン・オフの切替えが行われる。勿論、ＡＣ電源を用いたり、ソーラー電源を併用することも構わない。これらの動作の制御は、プログラムが組み込まれた基板を持つ周知の制御手段により行われる。
【００１４】
鳥獣忌避器本体３は、上下に重ねて設置するもので、鳥獣検知部１及び鳥獣忌避手段２の反応（作動）する向きを任意の角度、或いは一定の角度でずらせて設置することができるもので、図示例では図１（ａ）のようにその上端面と下端面に互いに所定の角度で噛み合わせることができる係合部６と爪７が設けられている。この係合部６と爪７の係合位置を替えることにより、例えば、反応（作動）角度のずれを９０度、１８０度、２７０度と設定することができる。この角度はその他、１２０度、２４０度や、その他の間隔に変更しても、勿論構わない。係合部６と爪７には、図１（ｂ）のように所定の深さまで係合されると互いに嵌合する凹所１６と凸部１７や抜け止め１８等が施されている。尚、図示例は略９０度間隔で係合の位置を変えることができる例を示したが、これよりも多くても、少なくても良く、また摺動やネジ式にして、任意の角度で重ね、ネジなどで固定できるようにしても構わない。１０は最上段に被せられるカバーであって、同様の係合部６と爪７で固定できるようになっている。
【００１５】
図２は更に庭園照射手段４を併用した例であって、雰囲気変化検知手段５で反応して必要時に点灯するもので、ＬＥＤ、通常の電球等任意であり、鳥獣忌避器本体３と同様、図示外の電源、公知の制御手段を内蔵している。また、この庭園照射手段４、鳥獣忌避器本体３のいずれも、電源投入状態をパイロットランプや入力確認音等で確認できるようにすることができる。雰囲気変化検知手段５これも特に限定するものではないが、赤外線照射のような人感センサーと通常は光センサーが併用される。
【００１６】
図３は上記のように設定された鳥獣忌避器本体３を２台、鳥獣検知部１と鳥獣忌避手段２の向きを９０度ずらせて組み合わせる状態（図の左に表示）を示し、その場合の鳥獣検知部１の反応角度は９０度ずれて重ねられる（図の右に表示）ので、図で前方と右側からの鳥獣の侵入に作動することになる。ここで図中の矢印は、鳥獣検知部１の検知方向と、鳥獣忌避手段２の作動方向を示す。
【００１７】
同様に図４ではそのずれを１８０度とし、左右からの鳥獣の侵入に作動し、図５では、右と後ろからの鳥獣の侵入に対処できる。更に図６では鳥獣忌避器本体３を３台重ねるもので、２７０度の方向からの鳥獣の侵入に対処できる。更に図７は鳥獣忌避器本体３を４台重ねるもので、３６０度全方向からの鳥獣の侵入に対処できるようになる。
【００１８】
図８は電気的機能を説明するブロック図で、ＣＤＳセンサーが鳥獣検知手段及び雰囲気変化検知手段、即ち鳥獣検知部１に該当し、それぞれＰＩＲセンサー回路Ａ、ＢがＭＣＵ制御部（コンピュータ回路）により制御されて例えば超音波発信器のような鳥獣忌避手段２及びＬＥＤガーデンライトのような庭園照射手段４を作動させるもので、これらの機能は必要に応じて３段モードスイッチの切り替えにより、適宜選定設定できるようになっている。
【００１９】
本考案の鳥獣忌避装置にあって、比較的狭い庭などでの鳥獣忌避目的の場合は、１台の鳥獣忌避器本体３のみを設置して、一方向からの鳥獣の侵入に対応することができるが、２方向からの鳥獣の侵入に備えたい場合は、鳥獣忌避器本体３を２台、上下に重ねるが、その場合、９０度、１８０度或いは２７０度の角度のずれた２方向からの鳥獣の侵入に対処できる。更に３台、それぞれ向きをずらせると、３方向からの鳥獣の侵入に対応できる。更に４台重ねると、広い庭園灯であっても、真ん中の一か所に設置しておくと、全方向からの鳥獣の侵入を防止できるものである。そしてこれらの使い分けは、侵入に対処したい向きにずらせて複数の鳥獣忌避器本体３を積み重ねるだけで良いので、その鳥獣検知部１及び鳥獣忌避手段２の向きで正確に把握でき、スイッチでの切替えに比して、年寄であっても扱いやすいものである。しかも鳥獣忌避器本体３の一台一台には、単一の鳥獣検知部１、鳥獣忌避手段２を搭載させるだけで良いので、コストを低減でき、また多方向を求めないユーザーはベーシックで安価な負担で済む。
（産業上の利用性）
【００２０】
本考案は、狭い庭から、広い農地まで、その鳥獣を排除したい方向の狭小に応じて、必要数の鳥獣忌避器本体３を、その動作角度をずらせて重ねるだけで、簡単かつ確実にカバー方向を広げることができる。図示例は鳥獣忌避装置に関して詳細に説明したが、その他、人や鳥獣の来訪・接近を音や光で報知するものであっても良く、またバーコードやＩＣ無接触検知による作動システムであっても、同様に指向性のある機器本体を複数層、角度をずらせて積層することにより、同様に多方法の検知による動作が行える。
【００２１】
また、庭園照射手段４も併せて重ねる場合は、庭園灯に上記のような簡単に目的に応じて作用角度を広げることができる鳥獣忌避機能を付加できる。
【図面の簡単な説明】
【００２２】
【図１】（ａ）は本考案の一実施例の上下のブロックを分離した概略斜視図、（ｂ）はその係合部と爪の拡大斜視図。
【図２】同上の他の実施例の分解斜視図。
【図３】同上の第１の作用説明図。
【図４】同上の第２の作用説明図。
【図５】同上の第３の作用説明図。
【図６】同上の第４の作用説明図。
【図７】同上の第５の作用説明図。
【図８】同上の概略ブロック図。
【符号の説明】
【００２３】
１は検知部（鳥獣検知部）、２は作動手段（鳥獣忌避手段）、３は検知作動器本体（鳥獣忌避器本体）、４は庭園照射手段である。
【図１】
0003199465.tif 000003
【図２】
0003199465.tif 000004
【図３】
0003199465.tif 000005
【図４】
0003199465.tif 000006
【図５】
0003199465.tif 000007
【図６】
0003199465.tif 000008
【図７】
0003199465.tif 000009
【図８】
0003199465.tif 000010
【手続補正書】
【提出日】平成27年6月18日(2015.6.18)
【手続補正１】
【補正対象書類名】実用新案登録請求の範囲
【補正対象項目名】請求項２
【補正方法】変更
【補正の内容】
【請求項２】
検知部１が鳥獣検知部であり、作動手段２が鳥獣忌避手段であり、検知作動器本体３が鳥獣忌避器本体であり、積層は上下に積重ねるものである請求項１に記載の多方向鳥獣忌避装置。